(57)【特許請求の範囲】
【請求項１】
（ａ）モジュールを実装部材に実装するためのモジュール用ソケットであって、
（ｂ）平板状のハウジング、該ハウジングの嵌合側面に配設された第１導体パターン、及び、該第１導体パターンの表面から突出する雄端子を含む平板状の第１コネクタと、
（ｃ）板状金属から形成され、前記雄端子を弾性的に挟持する雌端子を含む平板状の第２コネクタとを有し、
（ｄ）前記雌端子は、板状金属から成る第２導体パターンをパターニングすることによって形成され、その内側に形成された内側開口を含むとともに、前記第２導体パターンにおける雌端子の周囲の部分に接続されている基部と、互いに対向する一対の接触部と、該接触部と前記基部とを連結する腕部とを含み、
（ｅ）前記対向する一対の接触部同士の間隔は、前記内側開口の幅寸法及び前記雄端子の幅寸法より小さく、前記雌端子が雄端子と係合すると、前記一対の接触部が前記雄端子を両側から弾性的に挟持し、
（ｆ）前記第１コネクタ及び第２コネクタの一方がモジュールに取付けられ、他方が実装部材に取付けられることを特徴とするモジュール用ソケット。
【請求項２】
前記第１コネクタ及び第２コネクタは、相互の嵌合側面同士を対向させた後、スライドさせることによって嵌合する請求項１に記載のモジュール用ソケット。
【請求項３】
前記第２コネクタは、周囲を囲む枠体と、該枠体によって周囲を画定された偏平な接続凹部とを含み、
前記第１コネクタは、前記接続凹部に収容される請求項１又は２に記載のモジュール用ソケット。
【請求項４】
前記第１コネクタは幅方向外側に延出する雄嵌合ロック部を含み、
該雄嵌合ロック部が前記枠体に形成された雌嵌合ロック部と係合して、前記第１コネクタと第２コネクタとの嵌合状態をロックする請求項３に記載のモジュール用ソケット。
【請求項５】
前記第２コネクタは周囲を囲む枠体を含んでおらず、
前記第１コネクタは嵌合側面から突出する雄嵌合ロック部を含み、
該雄嵌合ロック部が前記第２コネクタに形成された雌嵌合ロック部と係合して、前記第１コネクタと第２コネクタとの嵌合状態をロックする請求項１又は２に記載のモジュール用ソケット。
【発明の詳細な説明】
【技術分野】
【０００１】
本発明は、モジュール用ソケットに関するものである。
【背景技術】
【０００２】
従来、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の撮像素子とレンズ等の光学素子とを一体化したカメラモジュール等のモジュールをパーソナルコンピュータ、携帯電話機、ＰＤＡ（Ｐｅｒｓｏｎａｌ  Ｄｉｇｉｔａｌ  Ａｓｓｉｓｔａｎｔ）、ゲーム機、ナビゲーション装置等の小型電子機器の基板に実装するためにモジュール用ソケットが使用されている（例えば、特許文献１参照。）。
【０００３】
図１６は従来のモジュール用ソケットの断面図である。
【０００４】
図において、９１１はモジュール用ソケットのソケットハウジングであり、平板状の底板部９１７と、該底板部９１７の周縁から立上がる周壁部９１６とを有し、上面が開口した箱状の形状を備える樹脂から成る部材である。そして、前記周壁部９１６には、下面が開口したコンタクト挿入溝９１８が複数形成され、該コンタクト挿入溝９１８内に端子としてのコンタクト９６１が収容されて保持されている。該コンタクト９６１は、基板９９１の接続パッドにはんだ付されるテール部９６２と、ばね性を備えるカンチレバー状の腕部９６８とを備える。そして、該腕部９６８の先端近傍の接触部９６４は、底板部９１７の上面よりも上方に突出している。
【０００５】
また、前記周壁部９１６の外側は、シールド部材９７１で覆われている。そして、該シールド部材９７１の上端には、弾性係止片９７７が一体的に接続されている。該弾性係止片９７７は、全体として周壁部９１６の内側に位置し、上端が略Ｕ字状に曲げられてシールド部材９７１の上端に接続され、下端が底板部９１７の方を向いている。
【０００６】
さらに、８０１はカメラモジュールであり、本体部８１１とレンズ筒８１２とを有し、前記ソケットハウジング９１１内に収容されて保持されている。この場合、前記本体部８１１の下面に形成された接続パッドが対応するコンタクト９６１の接触部９６４と接触する。また、前記本体部８１１の側面に形成された係止突起８１７の上面は、弾性係止片９７７の下端と係合する。この状態では、本体部８１１の下面がコンタクト９６１の腕部９６８のばね力によって上方に付勢されるとともに、係止突起８１７が弾性係止片９７７のばね力によって下方に付勢される。そのため、前記カメラモジュール８０１は、上下から弾性的に挟まれた状態となり、ソケットハウジング９１１内に安定的に保持される。
【先行技術文献】
【特許文献】
【０００７】
【特許文献１】特開２００７−２６７６５号公報
【発明の概要】
【発明が解決しようとする課題】
【０００８】
しかしながら、前記従来のモジュール用ソケットにおいては、コンタクト９６１の腕部９６８及び弾性係止片９７７のばね力によってカメラモジュール８０１を上下から挟むようになっているので、コンタクト９６１の腕部９６８及び弾性係止片９７７のばね長を十分に長くする必要があり、モジュール用ソケット全体の高さ方向の寸法が大きくなってしまう。また、ソケットハウジング９１１及びシールド部材９７１がカメラモジュール８０１の側方を取囲むようになっているので、モジュール用ソケット全体の縦方向及び横方向の寸法が大きくなってしまう。
【０００９】
本発明は、前記従来のモジュール用ソケットの問題点を解決して、突出する雄端子を備える第１コネクタ、及び、板状金属から形成され、前記雄端子を弾性的に挟持する雌端子を備える第２コネクタの、一方をモジュールに取付け、他方を実装部材に取付け、互いに嵌（かん）合させるようにして、縦、横及び高さ方向の寸法を小さくすることができるとともに、雄端子と雌端子との接触を安定的に維持することができ、製造が容易で、構成が簡素でコストが低く、小型でありながら、信頼性の高いモジュール用ソケットを提供することを目的とする。
【課題を解決するための手段】
【００１０】
そのために、本発明のモジュール用ソケットにおいては、モジュールを実装部材に実装するためのモジュール用ソケットであって、平板状のハウジング、該ハウジングの嵌合側面に配設された第１導体パターン、及び、該第１導体パターンの表面から突出する雄端子を含む平板状の第１コネクタと、板状金属から形成され、前記雄端子を弾性的に挟持する雌端子を含む平板状の第２コネクタとを有し、前記雌端子は、板状金属から成る第２導体パターンをパターニングすることによって形成され、その内側に形成された内側開口を含むとともに、前記第２導体パターンにおける雌端子の周囲の部分に接続されている基部と、互いに対向する一対の接触部と、該接触部と前記基部とを連結する腕部とを含み、前記対向する一対の接触部同士の間隔は、前記内側開口の幅寸法及び前記雄端子の幅寸法より小さく、前記雌端子が雄端子と係合すると、前記一対の接触部が前記雄端子を両側から弾性的に挟持し、前記第１コネクタ及び第２コネクタの一方がモジュールに取付けられ、他方が実装部材に取付けられる。
【００１１】
本発明の他のモジュール用ソケットにおいては、さらに、前記第１コネクタ及び第２コネクタは、相互の嵌合側面同士を対向させた後、スライドさせることによって嵌合する。
【００１３】
本発明の更に他のモジュール用ソケットにおいては、さらに、前記第２コネクタは、周囲を囲む枠体と、該枠体によって周囲を画定された偏平な接続凹部とを含み、前記第１コネクタは、前記接続凹部に収容される。
【００１４】
本発明の更に他のモジュール用ソケットにおいては、さらに、前記第１コネクタは幅方向外側に延出する雄嵌合ロック部を含み、該雄嵌合ロック部が前記枠体に形成された雌嵌合ロック部と係合して、前記第１コネクタと第２コネクタとの嵌合状態をロックする。
【００１５】
本発明の更に他のモジュール用ソケットにおいては、さらに、前記第２コネクタは周囲を囲む枠体を含んでおらず、前記第１コネクタは嵌合側面から突出する雄嵌合ロック部を含み、該雄嵌合ロック部が前記第２コネクタに形成された雌嵌合ロック部と係合して、前記第１コネクタと第２コネクタとの嵌合状態をロックする。
【発明の効果】
【００１６】
本発明によれば、モジュール用ソケットは、突出する雄端子を備える第１コネクタ、及び、板状金属から形成され、前記雄端子を弾性的に挟持する雌端子を備える第２コネクタの、一方をモジュールに取付け、他方を実装部材に取付け、互いに嵌合させるようになっている。これにより、縦、横及び高さ方向の寸法を小さくすることができるとともに、雄端子と雌端子との接触を安定的に維持することができ、製造が容易で、構成が簡素でコストが低く、小型でありながら、信頼性を高めることができる。
【図面の簡単な説明】
【００１７】
【図１】本発明の第１の実施の形態におけるモジュール用ソケットのモジュールを取付けた状態での斜視図であって、（ａ）は嵌合完了前を示す図、（ｂ）は嵌合完了後を示す図である。
【図２】本発明の第１の実施の形態におけるモジュール用ソケットの第１コネクタをモジュールに取付けた状態を示す図であって、（ａ）はモジュール側から観た図、（ｂ）は第１コネクタ側から観た図である。
【図３】本発明の第１の実施の形態におけるモジュール用ソケットの第２コネクタを示す図であって、（ａ）は斜視図、（ｂ）は上面図、（ｃ）は下面図である。
【図４】本発明の第１の実施の形態におけるモジュール用ソケットの第２コネクタの層構造を示す要部分解図である。
【図５】本発明の第１の実施の形態におけるモジュール用ソケットの第２コネクタの雌端子の例を示す上面図であって、（ａ）〜（ｄ）は第１〜第４の例である。
【図６】本発明の第１の実施の形態におけるモジュール用ソケットの第１コネクタと第２コネクタとの嵌合工程を示す図であって、（ａ）〜（ｃ）は各工程を示す図である。
【図７】本発明の第１の実施の形態におけるモジュール用ソケットの第１コネクタと第２コネクタとの嵌合工程を示す図でありモジュールを省略した図であって、（ａ）〜（ｃ）は各工程を示す図である。
【図８】本発明の第１の実施の形態におけるモジュール用ソケットの第１コネクタと第２コネクタとの嵌合工程が完了した状態を示す図であって、（ａ）は上面図、（ｂ）は側断面図であって（ａ）におけるＡ−Ａ矢視断面図、（ｃ）は要部拡大図であって（ｂ）におけるＢ部拡大図である。
【図９】本発明の第２の実施の形態におけるモジュール用ソケットのモジュールを取付けた状態での斜視図であって、（ａ）は嵌合完了前を示す図、（ｂ）は嵌合完了後を示す図である。
【図１０】本発明の第２の実施の形態におけるモジュール用ソケットの嵌合完了前の状態を示す斜視図であって、（ａ）は第２コネクタ側から観た斜視図、（ｂ）は要部拡大図であって（ａ）におけるＣ部拡大図である。
【図１１】本発明の第２の実施の形態におけるモジュール用ソケットの第１コネクタをモジュールに取付けた状態を示す図であって、（ａ）はモジュール側から観た図、（ｂ）は第１コネクタ側から観た図、（ｃ）は要部拡大図であって（ｂ）におけるＤ部拡大図である。
【図１２】本発明の第２の実施の形態におけるモジュール用ソケットの第２コネクタを示す斜視図である。
【図１３】本発明の第３の実施の形態におけるモジュール用ソケットの第２コネクタを示す斜視図である。
【図１４】本発明の第４の実施の形態におけるモジュール用ソケットの第２コネクタをモジュールに取付けた状態を示す斜視図であって、（ａ）はモジュール側から観た図、（ｂ）は第１コネクタ側から観た図である。
【図１５】本発明の第４の実施の形態におけるモジュール用ソケットの第１コネクタを示す図であって、（ａ）は斜視図、（ｂ）は上面図、（ｃ）は側面図である。
【図１６】従来のモジュール用ソケットの断面図である。
【発明を実施するための形態】
【００１８】
以下、本発明の実施の形態について図面を参照しながら詳細に説明する。
【００１９】
図１は本発明の第１の実施の形態におけるモジュール用ソケットのモジュールを取付けた状態での斜視図、図２は本発明の第１の実施の形態におけるモジュール用ソケットの第１コネクタをモジュールに取付けた状態を示す図、図３は本発明の第１の実施の形態におけるモジュール用ソケットの第２コネクタを示す図、図４は本発明の第１の実施の形態におけるモジュール用ソケットの第２コネクタの層構造を示す要部分解図、図５は本発明の第１の実施の形態におけるモジュール用ソケットの第２コネクタの雌端子の例を示す上面図である。なお、図１において、（ａ）は嵌合完了前を示す図、（ｂ）は嵌合完了後を示す図であり、図２において、（ａ）はモジュール側から観た図、（ｂ）は第１コネクタ側から観た図であり、図３において、（ａ）は斜視図、（ｂ）は上面図、（ｃ）は下面図であり、図５において、（ａ）〜（ｄ）は第１〜第４の例である。
【００２０】
図において、１は本実施の形態におけるモジュール用ソケットの一方である第１コネクタとしての雄コネクタであり、モジュール用ソケットの他方、すなわち、相手方コネクタである第２コネクタとしての雌コネクタ１０１と嵌合して、電気的に接続される。前記モジュール用ソケットは、モジュール９１を図示されない基板等の実装部材に実装して、モジュール９１と実装部材とを電気的に接続するためのソケットである。
【００２１】
なお、本実施の形態においては、雄コネクタ１がモジュール９１に取付けられ、雌コネクタ１０１が基板等の実装部材に取付けられるものとして説明する。
【００２２】
また、本実施の形態において、モジュール９１は、例えば、ＣＣＤ、ＣＭＯＳイメージセンサ等の撮像素子とレンズ等の光学素子とを一体化したカメラモジュールであるが、いかなる種類のモジュールであってもよく、赤外線センサ、指紋読取センサ等のセンサを含むセンサモジュール、マイクロホン等の音響素子モジュール、無線ＬＡＮ（Ｌｏｃａｌ  Ａｒｅａ  Ｎｅｔｗｏｒｋ）等の無線通信網において無線通信を行うための通信モジュールのようなモジュールであってもよい。なお、前記モジュール９１がカメラモジュールである場合、典型的には、図１における上側の面がレンズ等の受光面となる。
【００２３】
さらに、本実施の形態におけるモジュール用ソケットは、モジュール９１を、例えば、携帯電話機、ＰＤＡ、ゲーム機、ナビゲーション装置等の小型電子機器に実装するために使用されるが、いかなる装置に実装するために使用されてもよく、テレビ、洗濯機、冷蔵庫等の家庭用電気装置、防犯用監視装置、自動車等の装置に実装するために使用されてもよい。なお、本実施の形態において雌コネクタ１０１が取付けられる基板等の実装部材は、例えば、プリント回路基板、フレキシブル回路基板（ＦＰＣ：Ｆｌｅｘｉｂｌｅ  Ｐｒｉｎｔｅｄ  Ｃｉｒｃｕｉｔ）、フレキシブルフラットケーブル（ＦＦＣ：Ｆｌｅｘｉｂｌｅ  Ｆｌａｔ  Ｃａｂｌｅ）等であれば、いかなる材質、種類の部材であってもよい。
【００２４】
本実施の形態において、雄コネクタ１、雌コネクタ１０１及びその他の部材に含まれる各部の構成及び動作を説明するために使用される上、下、左、右、前、後等の方向を示す表現は、絶対的なものでなく相対的なものであり、雄コネクタ１、雌コネクタ１０１及びその他の部材に含まれる各部が図に示される姿勢である場合に適切であるが、雄コネクタ１、雌コネクタ１０１及びその他の部材に含まれる各部の姿勢が変化した場合には、姿勢の変化に応じて変更して解釈されるべきものである。
【００２５】
そして、前記雄コネクタ１は、樹脂等の絶縁性の材料から成る平板状のハウジング１１と、該ハウジング１１の嵌合側面（モジュール９１と反対側の面）に配設された第１導体パターンとしての導体パッド５１と、該導体パッド５１の表面から突出する雄端子としての突出端子５３とを有する。なお、前記ハウジング１１は、厚さ方向の寸法が約０．３〜０．５〔ｍｍ〕程度であるが、その寸法は適宜変更することができる。
【００２６】
各導体パッド５１は、ハウジング１１の嵌合側面に露出するとともに、突出端子５３を１本ずつ備える。なお、図に示される例において、導体パッド５１及び突出端子５３は、雄コネクタ１の幅方向に延在する列を２本形成するように配設されているが、導体パッド５１及び突出端子５３の配列の態様は、図に示される例に限定されるものではなく、任意に変更することができる。
【００２７】
前記突出端子５３の各々は、導体パッド５１の表面から突出する部材であり、例えば、フォトリソグラフィ技術を利用したエッチング等の方法によって、導体パッド５１と一体的に形成されている。なお、前記突出端子５３の高さ方向の寸法は、例えば、０．１〜０．３〔ｍｍ〕程度であるが、適宜変更することができる。
【００２８】
図２に示されるように、前記突出端子５３は、円柱状の形状を備えるが、例えば、横断面が四角形、五角形、六角形等の角柱状の形状であってもよいし、横断面が円形や楕（だ）円形の柱状の形状であってもよいし、任意に変更することができる。さらに、突出端子５３は、その先端部の径が他の部分より大きくなるように形成されてもよい。
【００２９】
また、前記ハウジング１１の実装側面（モジュール９１側の面）には図示されない複数の接続パッドが配設されている。そして、各接続パッドは、ハウジング１１の内部を通過するように形成された図示されない導電トレースを介して、対応する導体パッド５１と電気的に接続されている。また、各接続パッドは、前記モジュール９１の下面に形成された図示されない対応する接続パッドと、はんだ付、導電性接着剤等の接続手段によって、機械的かつ電気的に接続されている。これにより、図２に示されるように、雄コネクタ１はモジュール９１に取付けられ、かつ、導体パッド５１及び突出端子５３はモジュール９１の接続パッドと電気的に接続された状態となる。
【００３０】
なお、前記ハウジング１１は、略矩（く）形の平面形状を備えるが、その四隅に嵌合凹部としての切欠部１３が形成されている。図２に示されるように、雄コネクタ１がモジュール９１に取付けられた状態で、モジュール９１の下面から突出する嵌合凸部としての突出脚部９３が切欠部１３に嵌（はま）り込み、これにより、モジュール９１に対する雄コネクタ１の位置決めが行われる。なお、前記突出脚部９３及び切欠部１３の形状、数、配置等は、必要に応じて適宜変更することができ、また、省略することもできる。
【００３１】
また、前記ハウジング１１の左右側面には、幅方向外側に延出する雄嵌合ロック部としての耳部２１が形成されている。図に示される例において、耳部２１は、ハウジング１１の左右両側に２つずつ形成されているが、その数、配置等は、必要に応じて適宜変更することができる。
【００３２】
さらに、前記ハウジング１１の前端には、前方に延出する停止位置決め部材としてのストッパ凸部１５が形成されている。該ストッパ凸部１５の前端における当接端部１５ａが雌コネクタ１０１の周囲を囲む枠体１１１の前枠部１１５における当接端部１１５ａと当接することによって、雄コネクタ１と雌コネクタ１０１とを嵌合する際に、雄コネクタ１と雌コネクタ１０１との位置決めが行われる。なお、前記当接端部１５ａは、典型的には、図２に示されるように、モジュール９１の突出部９５の前端面と面一となるように形成される。
【００３３】
本実施の形態における雌コネクタ１０１は、モジュール用ソケットの他方としての第２コネクタであって、矩形状の平面形状を備え、その相手方コネクタである前記第１コネクタとしての雄コネクタ１と電気的に接続されるとともに、基板等の実装部材の表面に実装される。この場合、前記雌コネクタ１０１は、平板状であり、その裏面が実装部材の表面と対向するように実装され、実装部材の導電トレースと電気的に接続される。
【００３４】
また、前記雌コネクタ１０１は、表面形状が略ロ字状の平板状の枠体１１１を有する。該枠体１１１は、雌コネクタ１０１の幅方向（図３（ｂ）及び（ｃ）における横方向）に延在する横枠としての前枠部１１５及び後枠部１１６、並びに、雌コネクタ１０１の前後方向（図３（ｂ）及び（ｃ）における縦方向）に延在し、前枠部１１５及び後枠部１１６の両端を接続する左右一対の縦枠部１１２を備える。
【００３５】
そして、前記枠体１１１によって周囲を画定された矩形状の平面形状を備える扁（へん）平な凹部は、雄コネクタ１を収容する接続凹部１１４である。該接続凹部１１４の底部は、下からベースフィルム１１８、導体パターン１５１及びカバーフィルム１１７の順に積層された層構造を備える平板状の接続シート部１５０である。なお、前記枠体１１１は、接続シート部１５０と比較すれば、厚肉の平板状の部材であって、厚さ方向の寸法が約０．３〜０．５〔ｍｍ〕程度であるが、その寸法は適宜変更することができる。
【００３６】
前記導体パターン１５１は、複数本の導電線として機能する第２導体パターンとしての雌導体パターンであって、例えば、厚さが数〔μｍ〕〜数１０〔μｍ〕のばね性を備える銅箔（はく）にエッチング加工等を施してパターニングすることによって形成されたものである。
【００３７】
図４は、雌コネクタ１０１の一部分のみの層構造を示しており、導体パターン１５１は、雌コネクタ１０１の前後方向に延在し、かつ、互いに平行に並んで配設され、隣接する導体パターン１５１同士は、パターン分離空間１５２によって分離されている。図に示される例では、各導体パターン１５１は、幅の狭い線状体のように形成され、所定のピッチ、例えば、０．１〔ｍｍ〕程度で、多数本が互いに平行に並んで配設される。
【００３８】
図において、１５８は、枠体１１１の前枠部１１５及び後枠部１１６より前方及び後方に向けて突出するように導体パターン１５１と一体的に形成されたテール部であり、図示されない実装部材の表面に形成された接続パッドにはんだ付等によって接続される。前記テール部１５８が接続パッドに接続されることによって、雌コネクタ１０１が実装部材に固定されるとともに、導体パターン１５１が実装部材の対応する導電トレースと導通する。なお、１５９は、枠体１１１に取付けられた固定用補助金具であり、図示されない実装部材の表面に形成された固定用パッドに、はんだ付等によって固定される。
【００３９】
前記導体パターン１５１における接続凹部１１４の底部に対応する部分には、複数の雌端子としての受容端子１５３が配設されている。該受容端子１５３は雄コネクタ１の突出端子５３と嵌合して導通する部材であるから、その配列は前記突出端子５３の配列と同様である。そして、突出端子５３の配列の態様が変更された場合には、それに適合するように、受容端子１５３の配列の態様も変更される。さらに、導体パターン１５１も、雄コネクタ１の導体パッド５１と導通する部材であるから、その配列は雄コネクタ１の導体パッド５１の配列と同様であり、雄コネクタ１の導体パッド５１の配列の態様が変更された場合には、それに適合するように、導体パターン１５１の配列の態様も変更される。
【００４０】
前記受容端子１５３の各々は、導体パターン１５１を厚さ方向に貫通する略矩形の端子収容開口１５４内に収容された部材であり、例えば、フォトリソグラフィ技術を利用したエッチング等の方法によって、導体パターン１５１をパターニングすることにより形成されている。典型的には、導体パターン１５１をパターニングすることによって形成されて残存したパターンが受容端子１５３であり、該受容端子１５３の周囲の材料が除去された部分が端子収容開口１５４である。したがって、受容端子１５３の厚さ寸法は、導体パターン１５１の厚さ寸法と同等である。
【００４１】
前記ベースフィルム１１８は、絶縁性の薄板部材である第２基板部としての雌基板部であり、例えば、ポリイミド等の樹脂から成るが、絶縁性を備えるものであれば、いかなる種類の材質であってもよい。そして、前記ベースフィルム１１８には、導体パターン１５１に形成された受容端子１５３に対応する部位に、ベースフィルム１１８を厚さ方向に貫通する端子対応開口１１８ａが形成されている。なお、該端子対応開口１１８ａの各々は、前記受容端子１５３に対応するように、前後方向に長い矩形の形状を備える。
【００４２】
また、前記カバーフィルム１１７は、絶縁性の薄板部材である第２被覆板部としての雌被覆部であり、例えば、ポリイミド等の樹脂から成るが、絶縁性を備えるものであれば、いかなる種類の材質であってもよい。そして、前記カバーフィルム１１７には、導体パターン１５１に形成された受容端子１５３に対応する部位に、カバーフィルム１１７を厚さ方向に貫通する端子対応開口１１７ａが形成されている。なお、該端子対応開口１１７ａの各々は、前記受容端子１５３に対応するように、前後方向に長い矩形の形状を備える。
【００４３】
そして、前記ベースフィルム１１８、導体パターン１５１及びカバーフィルム１１７を積層して、接続凹部１１４の底部である接続シート部１５０が形成される。該接続シート部１５０において、端子収容開口１５４は、ベースフィルム１１８の端子対応開口１１８ａ、及び、カバーフィルム１１７の端子対応開口１１７ａに対応し、接続シート部１５０を厚さ方向に貫通する開口となっている。
【００４４】
さらに、前記カバーフィルム１１７の上には、枠体１１１が積層されている。該枠体１１１は、略ロ字状の表面形状を備える薄板部材であり、例えば、ステンレス鋼等の金属、ポリイミド等の樹脂から成るが、いかなる種類の材質であってもよく、導電性の材質であっても、絶縁性の材質であってもよい。また、前記枠体１１１は、複数の薄板部材を積層して構成された部材であってもよいし、一体的に構成された単一の部材であってもよい。なお、図４においては、枠体１１１の後枠部１１６の一部が示されている。
【００４５】
そして、各受容端子１５３の平面形状は、例えば、図５（ａ）〜（ｄ）に示されるような形状に形成される。各受容端子１５３は、端子収容開口１５４の周縁に接続された基部１５３ａ、該基部１５３ａに接続された一対の腕部１５３ｄ、及び、各腕部１５３ｄの先端に接続された一対の接触部１５３ｃを備える。なお、左右の腕部１５３ｄ及び接触部１５３ｃは、互いに向合った左右対称の部材である。前記腕部１５３ｄは、ばねとして機能するカンチレバー状の部材であり、前記接触部１５３ｃは、腕部１５３ｄのばね性によって、雌コネクタ１０１の幅方向に弾性的に変位する。
【００４６】
また、前記端子収容開口１５４は、受容端子１５３の内側の内側開口１５４ａ及び受容端子１５３の外側の外側開口１５４ｂを含んでいる。前記内側開口１５４ａは、受容端子１５３が雄コネクタ１の突出端子５３と嵌合する際に、該突出端子５３が進入して収容される部分であり、前記外側開口１５４ｂは、前記腕部１５３ｄ及び接触部１５３ｃの変位を許容する部分である。
【００４７】
なお、前記内側開口１５４ａにおいて、対向する腕部１５３ｄ同士の間の部分は、大きな面積を備え、典型的には、その幅寸法が突出端子５３の先端部の幅寸法より大きく、また、その上下方向の寸法も突出端子５３の先端部の上下方向の寸法より大きい。そのため、突出端子５３は、内側開口１５４ａ内にスムーズに進入することができる。一方、対向する接触部１５３ｃ同士の間の部分は、幅の狭い空間であり、典型的には、その幅寸法が突出端子５３の幅寸法より小さい。そのため、内側開口１５４ａ内に収容された突出端子５３が接触部１５３ｃ同士の間に相対的に移動すると、接触部１５３ｃ同士の間隔が突出端子５３の側面部に当接して押広げられるので、腕部１５３ｄのばね性によって、接触部１５３ｃは突出端子５３の側面部に押圧された状態になる。つまり、一対の接触部１５３ｃが突出端子５３の側面部を両側から弾性的に挟持する。
【００４８】
なお、内側開口１５４ａの形状は、接触部１５３ｃ同士の間の部分に近付くと、幅寸法が漸減するような形状である。すなわち、対向する腕部１５３ｄの側端縁における接触部１５３ｃの近傍部分は、傾斜したテーパ形状を備える。そのため、突出端子５３は、対向する接触部１５３ｃ同士の間の部分にスムーズに進入することができる。
【００４９】
図５（ａ）に示される例において、受容端子１５３の平面形状は左右対称であるとともに、上下対称である。前記受容端子１５３は、端子収容開口１５４の左右両側縁の各々に一対ずつ接続された基部１５３ａを含み、左右対称な平面形状を備える左側部分と右側部分とに分離されている。そして、左側部分及び右側部分の各々は、上下の各基部１５３ａに接続された腕部１５３ｄ、及び、上下の腕部１５３ｄの先端を接続する接触部１５３ｃを備え、上下対称の平面形状を備える。
【００５０】
また、端子収容開口１５４は、左右の腕部１５３ｄの間に位置する上下一対の内側開口１５４ａ及び接触部１５３ｃの外側に位置する左右一対の外側開口１５４ｂを含んでいる。そして、左右の対向する接触部１５３ｃ同士の間隔は、腕部１５３ｄ同士の間隔よりも狭くなっている。
【００５１】
なお、内側開口１５４ａの形状は、接触部１５３ｃ同士の間の部分に近付くと、幅寸法が漸減するような形状である。すなわち、対向する腕部１５３ｄの側端縁における接触部１５３ｃの近傍部分は、傾斜したテーパ形状を備える。そのため、突出端子５３は、対向する接触部１５３ｃ同士の間の部分にスムーズに進入することができる。
【００５２】
図５（ａ）に示される例では、突出端子５３を上下いずれの内側開口１５４ａにも進入させることができるので、雄コネクタ１と雌コネクタ１０１とを嵌合させる際に、雄コネクタ１と雌コネクタ１０１との相対的位置の自由度が大きく、嵌合作業を容易に行うことができる。また、接触部１５３ｃの上下両側が腕部１５３ｄによって支持された、いわゆる両持ち梁（ばり）となっているので、接触部１５３ｃを支持するばね力が大きく、一対の接触部１５３ｃが突出端子５３の側面部を両側から弾性的に挟持する力が大きく、側面部と接触部１５３ｃとの接触をより確実に維持することができる。
【００５３】
図５（ｂ）に示される例において、受容端子１５３は、端子収容開口１５４の左右両側縁の各々に一対ずつ接続された基部１５３ａを含み、左右対称な平面形状を備える左側部分と右側部分とに分離されている。そして、左側部分及び右側部分の各々は、上下の各基部１５３ａに接続された腕部１５３ｄ、及び、上下の腕部１５３ｄの先端を接続する接触部１５３ｃを備えるが、平面形状は上下対称ではない。
【００５４】
上側基部１５３ａ１は端子収容開口１５４の上縁近くに位置するが、下側基部１５３ａ２は端子収容開口１５４の上下のほぼ中間に位置する。そして、接触部１５３ｃは、端子収容開口１５４の上下の中間よりも下に寄った位置に存在する。また、上側腕部１５３ｄ１の平面形状は、ほぼ直線又は大きく曲がったヘの字状であるが、下側腕部１５３ｄ２の平面形状は、小さく曲がったＪ字状又はＵ字状である。また、内側開口１５４ａは、左右の上側腕部１５３ｄ１の間に位置する。
【００５５】
なお、内側開口１５４ａの形状は、接触部１５３ｃ同士の間の部分に近付くと、幅寸法が漸減するような形状である。すなわち、対向する腕部１５３ｄの側端縁における接触部１５３ｃの近傍部分は、傾斜したテーパ形状を備える。そのため、突出端子５３は、対向する接触部１５３ｃ同士の間の部分にスムーズに進入することができる。
【００５６】
図５（ｂ）に示される例では、内側開口１５４ａは上側が下側より大きいので、図５（ａ）に示される例と比較して、内側開口１５４ａを大きくすることができ、雄コネクタ１と雌コネクタ１０１とを嵌合させる際に、雄コネクタ１と雌コネクタ１０１との相対的位置の自由度が大きく、嵌合作業を容易に行うことができる。また、内側開口１５４ａの大きさを図５（ａ）に示される例と同等にすれば、端子収容開口１５４全体の大きさを小さくすることができ、端子収容開口１５４及び受容端子１５３の配置密度を高くすることができる。さらに、上下の腕部１５３ｄの長さが長く、いわゆるばね長が長いので、接触部１５３ｃが弾性的に変位可能な範囲が広くなり、突出端子５３の側面部の幅寸法の広範囲の変化に対応することができ、側面部と接触部１５３ｃとの接触をより確実に維持することができる。
【００５７】
図５（ｃ）及び（ｄ）に示される例において、受容端子１５３は、端子収容開口１５４の左右両側縁の各々に一対ずつ接続された基部１５３ａを含み、左右対称な平面形状を備える左側部分と右側部分とに分離されている。そして、左側部分及び右側部分の各々は、上下の各基部１５３ａに接続された腕部１５３ｄ、及び、上下の腕部１５３ｄの先端を接続する接触部１５３ｃを備えるが、平面形状は上下対称ではない。
【００５８】
上側基部１５３ａ１は端子収容開口１５４の上縁近くに位置し、下側基部１５３ａ２は端子収容開口１５４の下縁近くに位置する。そして、接触部１５３ｃは、端子収容開口１５４の上下の中間よりも下に寄った位置に存在する。また、上側腕部１５３ｄ１の平面形状は、ほぼ直線又は大きく曲がったヘの字状であるが、下側腕部１５３ｄ２の平面形状は、小さく曲がったＳ字状又はＮ字状である。また、内側開口１５４ａは、左右の上側腕部１５３ｄ１の間に位置する。
【００５９】
図５（ｃ）及び（ｄ）に示される例では、下側腕部１５３ｄ２の長さが図５（ｂ）に示される例よりも長いので、ばね長がより長くなり、突出端子５３の側面部の幅寸法のより広範囲の変化に対応することができる。なお、その他の点については、図５（ｂ）に示される例と同様であるので、説明を省略する。
【００６０】
また、図３に示されるように、前記枠体１１１の左右の縦枠部１１２における互いに対向する内側部には、雄コネクタ１のハウジング１１が備える耳部２１を受容して係合する受入凹部１２１が形成されている。雄コネクタ１と雌コネクタ１０１とを嵌合する際には、まず、図１（ａ）に示されるように、枠体１１１の各受入凹部１２１にハウジング１１の対応する耳部２１が収容される。なお、図に示される例において、受入凹部１２１は、左右の縦枠部１１２に２つずつ形成されているが、その数、配置等は、対応する耳部２１の数、配置等に合せて変更される。
【００６１】
そして、左右の縦枠部１１２における各受入凹部１２１の前端寄りの部分は、雌嵌合ロック部１２２として機能する。雄コネクタ１と雌コネクタ１０１とを嵌合する際には、図１（ａ）に示されるような状態から、雄コネクタ１が雌コネクタ１０１に対して前進させられて、すなわち、前方にスライドさせられて、図１（ｂ）に示されるような状態となる。この際に、ハウジング１１の各耳部２１が枠体１１１の対応する雌嵌合ロック部１２２の下方に進入して係合する。これにより、雄コネクタ１と雌コネクタ１０１との嵌合状態がロックされる。
【００６２】
また、前枠部１１５は雌コネクタ１０１に対する雄コネクタ１の位置決めを行う位置決め部材として機能し、前記前枠部１１５における後枠部１１６と対向する内側部、すなわち、後側部には凹入部が形成され、該凹入部の内側部が当接端部１１５ａとして機能する。該当接端部１１５ａが雄コネクタ１のストッパ凸部１５の前端における当接端部１５ａと当接することによって、雄コネクタ１と雌コネクタ１０１とを嵌合する際に、雄コネクタ１と雌コネクタ１０１との位置決めが行われる。
【００６３】
さらに、接続シート部１５０には、モジュール９１の下面から突出する突出脚部９３に対応する部位に、接続シート部１５０を厚さ方向に貫通する突出脚部対応開口１１３が形成されている。雄コネクタ１と雌コネクタ１０１とを嵌合する際には、各突出脚部９３の少なくとも先端が対応する突出脚部対応開口１１３内に収容される。なお、各突出脚部対応開口１１３の前後方向の寸法は、対応する突出脚部９３の前後方向の寸法よりも大きくなるように設定されている。これにより、各突出脚部９３の少なくとも先端が対応する突出脚部対応開口１１３内に収容された状態で、雄コネクタ１を雌コネクタ１０１に対して前方にスライドさせることができる。
【００６４】
次に、前記構成の雄コネクタ１と雌コネクタ１０１とを嵌合する動作について説明する。
【００６５】
図６は本発明の第１の実施の形態におけるモジュール用ソケットの第１コネクタと第２コネクタとの嵌合工程を示す図、図７は本発明の第１の実施の形態におけるモジュール用ソケットの第１コネクタと第２コネクタとの嵌合工程を示す図でありモジュールを省略した図、図８は本発明の第１の実施の形態におけるモジュール用ソケットの第１コネクタと第２コネクタとの嵌合工程が完了した状態を示す図である。なお、図６及び７において、（ａ）〜（ｃ）は各工程を示す図であり、図８において、（ａ）は上面図、（ｂ）は側断面図であって（ａ）におけるＡ−Ａ矢視断面図、（ｃ）は要部拡大図であって（ｂ）におけるＢ部拡大図である。
【００６６】
ここで、雌コネクタ１０１は、テール部１５８が図示されない基板等の実装部材の表面に形成された接続パッドにはんだ付等によって接続されることにより、前記実装部材に表面実装されているものとする。なお、雌コネクタ１０１は、その裏面が前記実装部材の表面と対向するような姿勢で実装される。また、前記実装部材は、例えば、パーソナルコンピュータ、携帯電話機、ＰＤＡ、デジタルカメラ、ビデオカメラ、音楽プレーヤ、ゲーム機、ナビゲーション装置等の電子機器、家庭用電化製品等の電気機器等に使用されるプリント回路基板や、フレキシブル回路基板、フレキシブルフラットケーブル等の平板状のケーブル等であるが、いかなる種類の部材であってもよい。
【００６７】
まず、オペレータは、図６（ａ）及び７（ａ）に示されるように、モジュール９１に取付けられた雄コネクタ１の姿勢を、突出端子５３が形成された面が雌コネクタ１０１の表面に対向し、すなわち、雄コネクタ１の表面が雌コネクタ１０１の表面に対向し、かつ、ハウジング１１の各耳部２１が枠体１１１の各受入凹部１２１と一致するような姿勢として、雄コネクタ１を雌コネクタ１０１の上方に位置付ける。
【００６８】
なお、図７（ａ）〜（ｃ）は、図６（ａ）〜（ｃ）に対応する工程を示す図であるが、雄コネクタ１と雌コネクタ１０１との関係を理解するために、モジュール９１の図示が省略されている。また、雄コネクタ１のハウジング１１の実装側面（図７における上側の面）には、モジュール９１の下面に形成された接続パッドに機械的かつ電気的に接続される複数の接続パッドが配設されているが、該接続パッドの図示も省略されている。
【００６９】
続いて、オペレータは、雄コネクタ１を雌コネクタ１０１に対して相対的に下降させ、すなわち、嵌合方向に移動させ、図６（ｂ）及び７（ｂ）に示されるように、雄コネクタ１が雌コネクタ１０１の接続凹部１１４内に収容されるようにして、雄コネクタ１の嵌合面である表面と雌コネクタ１０１の嵌合面である表面とを対向させ、当接又は近接させる。これにより、ハウジング１１の各耳部２１が枠体１１１の各受入凹部１２１内に進入する。また、突出端子５３の各々が、対応する受容端子１５３の内側の内側開口１５４ａ内に進入する。
【００７０】
続いて、オペレータは、雄コネクタ１を雌コネクタ１０１に対して相対的にロック方向にスライドさせる。すなわち、雄コネクタ１の表面と雌コネクタ１０１の表面とを当接させた状態で雄コネクタ１を雌コネクタ１０１に対して前方（図６（ｂ）及び７（ｂ）における左下方）に相対的に前進させる。この場合、各突出端子５３が対応する受容端子１５３の内側の内側開口１５４ａ内に進入しているとともに、左右の耳部２１が左右の受入凹部１２１内に進入した状態でスライドしてガイドするので、雌コネクタ１０１に対する雄コネクタ１の姿勢が乱れることがない。
【００７１】
そして、図６（ｃ）及び７（ｃ）に示されるように、雄コネクタ１と雌コネクタ１０１との嵌合が完了すると、雄コネクタ１における左右の耳部２１が雌コネクタ１０１における左右の縦枠部１１２の雌嵌合ロック部１２２と係合する。具体的には、耳部２１の少なくとも一部が枠体１１１の対応する雌嵌合ロック部１２２の下方に進入して係合する。これにより、雄コネクタ１と雌コネクタ１０１との嵌合状態がロックされる。
【００７２】
なお、雄コネクタ１のハウジング１１におけるストッパ凸部１５の当接端部１５ａがあることにより、雄コネクタ１をロック方向へスライドさせすぎても、当接端部１５ａが雌コネクタ１０１の枠体１１１における当接端部１１５ａと当接することによって、雄コネクタ１の雌コネクタ１０１に対する過度の前進が停止する。また、雄コネクタ１と雌コネクタ１０１との位置決めが行われる。
【００７３】
さらに、雄コネクタ１を雌コネクタ１０１に対して相対的にロック方向、すなわち、前方にスライドさせると、受容端子１５３の内側の内側開口１５４ａ内に進入している突出端子５３が、内側開口１５４ａ内を相対的に移動し、図８に示されるように、対向する接触部１５３ｃ同士の間に進入する。これにより、接触部１５３ｃ同士の間隔が突出端子５３の側面部に当接して押広げられるので、腕部１５３ｄのばね性によって、接触部１５３ｃは突出端子５３の側面部に押圧された状態になる。つまり、一対の接触部１５３ｃが突出端子５３の側面部を両側から弾性的に挟持する。このように、接触部１５３ｃが突出端子５３の側面部を挟持することも、嵌合状態を維持するために寄与する。
【００７４】
また、受容端子１５３が薄肉の部材であり、図８（ｃ）に示されるように、受容端子１５３の厚さ寸法が突出端子５３の高さ寸法よりも小さいので、各部の寸法誤差（公差）、形状の歪（ゆが）み等に起因して、突出端子５３と受容端子１５３との間に雄コネクタ１と雌コネクタ１０１との嵌合方向に関する位置ずれが生じても、すべての突出端子５３が対応する受容端子１５３の内側の内側開口１５４ａ内に確実に進入し、突出端子５３の側面部と接触部１５３ｃとが確実に接触する。
【００７５】
そして、内側開口１５４ａの形状は、接触部１５３ｃ同士の間の部分に近付くと、幅寸法が漸減するような形状である。そのため、突出端子５３が受容端子１５３に対して移動して対向する接触部１５３ｃ同士の間に進入する際に、スムーズに進入して接触部１５３ｃ同士の間隔を押広げることができる。
【００７６】
なお、雄コネクタ１と雌コネクタ１０１との嵌合を解除する動作については、雄コネクタ１と雌コネクタ１０１とを嵌合させるための動作と逆の動作にすぎないので、説明を省略する。
【００７７】
このように、本実施の形態において、モジュール用ソケットは、平板状のハウジング１１、ハウジング１１の嵌合側面に配設された導体パッド５１、及び、導体パッド５１の表面から突出する突出端子５３を含む平板状の雄コネクタ１と、板状金属から形成され、突出端子５３を弾性的に挟持する受容端子１５３を含む平板状の雌コネクタ１０１とを有し、雄コネクタ１及び雌コネクタ１０１の一方がモジュール９１に取付けられ、他方が実装部材に取付けられる。
【００７８】
これにより、モジュール用ソケットの縦、横及び高さ方向の寸法を小さくすることができる。また、突出端子５３と受容端子１５３との接触を安定的に維持することができる。さらに、製造が容易で、構成が簡素なので、コストを低減することができるとともに、小型でありながら、信頼性を向上させることができる。
【００７９】
そして、雄コネクタ１及び雌コネクタ１０１は、相互の嵌合側面同士を対向させた後、スライドさせることによって嵌合する。これにより、モジュール９１を容易に、かつ、確実に実装部材に実装することができる。
【００８０】
また、受容端子１５３は、板状金属から成る導体パターン１５１をパターニングすることによって形成され、その内側に形成された内側開口１５４ａを含むとともに、導体パターン１５１における受容端子１５３の周囲の部分に接続されている基部１５３ａと、互いに対向する一対の接触部１５３ｃと、接触部１５３ｃと基部１５３ａとを連結する腕部１５３ｄとを含み、対向する一対の接触部１５３ｃ同士の間隔は、内側開口１５４ａの幅寸法及び突出端子５３の幅寸法より小さく、受容端子１５３が突出端子５３と係合すると、一対の接触部１５３ｃが突出端子５３を両側から弾性的に挟持する。これにより、瞬断の発生を確実に防止することができるとともに、内側開口１５４ａの幅が接触部１５３ｃ同士の間隔より大きいので、突出端子５３が内側開口１５４ａ内に容易に進入することができ、雄コネクタ１と雌コネクタ１０１との嵌合作業を容易に行うことができる。
【００８１】
さらに、雌コネクタ１０１は、周囲を囲む枠体１１１と、枠体１１１によって周囲を画定された偏平な接続凹部１１４とを含み、雄コネクタ１は、接続凹部１１４に収容される。これにより、雄コネクタ１と雌コネクタ１０１との嵌合作業を容易に、かつ、確実に行うことができる。
【００８２】
さらに、雄コネクタ１は幅方向外側に延出する耳部２１を含み、耳部２１が枠体１１１に形成された雌嵌合ロック部１２２と係合して、雄コネクタ１と雌コネクタ１０１との嵌合状態をロックする。これにより、雄コネクタ１と雌コネクタ１０１とが確実にロックされる。
【００８３】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００８４】
図９は本発明の第２の実施の形態におけるモジュール用ソケットのモジュールを取付けた状態での斜視図、図１０は本発明の第２の実施の形態におけるモジュール用ソケットの嵌合完了前の状態を示す斜視図、図１１は本発明の第２の実施の形態におけるモジュール用ソケットの第１コネクタをモジュールに取付けた状態を示す図、図１２は本発明の第２の実施の形態におけるモジュール用ソケットの第２コネクタを示す斜視図である。なお、図９において、（ａ）は嵌合完了前を示す図、（ｂ）は嵌合完了後を示す図であり、図１０において、（ａ）は第２コネクタ側から観た斜視図、（ｂ）は要部拡大図であって（ａ）におけるＣ部拡大図であり、図１１において、（ａ）はモジュール側から観た図、（ｂ）は第１コネクタ側から観た図、（ｃ）は要部拡大図であって（ｂ）におけるＤ部拡大図である。
【００８５】
本実施の形態において、雌コネクタ１０１は、枠体１１１を有していない。そして、接続シート部１５０は、略矩形の平面形状を備え、左右両側部に受入凹部１２１が形成され、かつ、該受入凹部１２１内にその側面から幅方向外側に延出する雌嵌合ロック部１２２が形成されている。なお、該雌嵌合ロック部１２２は、カバーフィルム１１７、ベースフィルム１１８等の接続シート部１５０の構成部材と一体的に形成されていてもよいが、別個に形成されて接続シート部１５０に固着されてもよい。また、前記雌嵌合ロック部１２２は、接続シート部１５０の嵌合側面にほぼ直交するとともに、雌コネクタ１０１の幅方向に平行な方向に延在する端部端面１２２ａを含んでいる。
【００８６】
なお、前記雌コネクタ１０１のその他の点の構成については、前記第１の実施の形態と同様であるので、その説明を省略する。
【００８７】
また、雄コネクタ１は、ストッパ凸部１５及び耳部２１を有していない。そして、ハウジング１１の嵌合側面における左右両側部に雄嵌合ロック部２２が配設されている。該雄嵌合ロック部２２は、ハウジング１１の嵌合側面から突出し、その裏面（ハウジング１１の嵌合側面と対向する面）に形成された嵌合段部としての雄側段部２３を備える。該雄側段部２３は、雄嵌合ロック部２２の前側の側面の一部から凹入するように形成された段部であり、ハウジング１１の嵌合側面にほぼ直交するとともに、雄コネクタ１の幅方向に平行な方向に延在する段部端面２３ａを含んでいる。
【００８８】
なお、前記雄コネクタ１のその他の点の構成については、前記第１の実施の形態と同様であるので、その説明を省略する。
【００８９】
そして、本実施の形態において、雄コネクタ１と雌コネクタ１０１とを嵌合する際、オペレータは、雄コネクタ１を雌コネクタ１０１に対して相対的に下降させ、すなわち、嵌合方向に移動させ、雄嵌合ロック部２２の各々を対応する受入凹部１２１内に進入させるようにして、雄コネクタ１の嵌合面である表面と雌コネクタ１０１の嵌合面である表面とを当接させる。すると、突出端子５３の各々が、対応する受容端子１５３の内側の内側開口１５４ａ内に進入する。これにより、雄コネクタ１と雌コネクタ１０１とは、図９（ａ）及び１０に示されるような状態になる。
【００９０】
続いて、オペレータは、雄コネクタ１を雌コネクタ１０１に対して相対的にロック方向にスライドさせる。すなわち、雄コネクタ１の表面と雌コネクタ１０１の表面とを当接させた状態で雄コネクタ１を雌コネクタ１０１に対して前方（図９（ａ）における左下方）に相対的に前進させる。この場合、各突出端子５３が対応する受容端子１５３の内側の内側開口１５４ａ内に進入しているとともに、左右の雄嵌合ロック部２２が左右の受入凹部１２１内に進入した状態でスライドしてガイドするので、雌コネクタ１０１に対する雄コネクタ１の姿勢が乱れることがない。
【００９１】
そして、図９（ｂ）に示されるように、雄コネクタ１と雌コネクタ１０１との嵌合が完了すると、雄コネクタ１における左右の雄嵌合ロック部２２が雌コネクタ１０１における左右の縦枠部１１２の雌嵌合ロック部１２２と係合する。具体的には、雄側段部２３に枠体１１１の対応する雌嵌合ロック部１２２の一部が進入して係合する。これにより、雄コネクタ１と雌コネクタ１０１との嵌合状態がロックされる。
【００９２】
また、段部端面２３ａに雌嵌合ロック部１２２の端部端面１２２ａが当接することによって、雄コネクタ１の雌コネクタ１０１に対する前進が停止し、雄コネクタ１と雌コネクタ１０１との位置決めが行われる。
【００９３】
なお、本実施の形態におけるモジュール用ソケットのその他の点の構成及び動作については、前記第１の実施の形態と同様であるので、その説明を省略する。
【００９４】
このように、本実施の形態において、雌コネクタ１０１は周囲を囲む枠体１１１を含んでおらず、雄コネクタ１は嵌合側面から突出する雄嵌合ロック部２２を含み、雄嵌合ロック部２２が雌コネクタ１０１に形成された雌嵌合ロック部１２２と係合して、雄コネクタ１と雌コネクタ１０１との嵌合状態をロックする。そのため、雌コネクタ１０１の構造を簡素化することができ、コストを低減することができる。また、雌コネクタ１０１が枠体１１１を含んでいないので、モジュール用ソケット全体の縦及び横方向の寸法を小さくすることができる。
【００９５】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００９６】
図１３は本発明の第３の実施の形態におけるモジュール用ソケットの第２コネクタを示す斜視図である。
【００９７】
本実施の形態において、受容端子１５３は、雌コネクタ１０１の前端（図における右上端）寄りの部分、及び、後端（図における左下端）寄りの部分において、雌コネクタ１０１の幅方向に延在する列を複数本ずつ形成するように配設されている。また、雌コネクタ１０１の幅方向に関する受容端子１５３の位置は、隣接する列同士の間で半ピッチずつずれている。すなわち、受容端子１５３は千鳥状に配列されている。なお、図に示される例においては、列が２本ずつ形成されているが、必要に応じて３本以上ずつの列を形成することもできる。
【００９８】
図に示される例において、後端寄りの部分に配列された受容端子１５３、該受容端子１５３を備える導体パターン１５１及び該導体パターン１５１のテール部１５８には、右から左方向にかけて１〜９の符号が順番に付与されている。奇数の符号が付与された導体パターン１５１、すなわち、右から奇数番目の導体パターン１５１の受容端子１５３は、最も後端寄りの第１の列を形成し、偶数の符号が付与された導体パターン１５１、すなわち、右から偶数番目の導体パターン１５１の受容端子１５３は、第２の列を形成していることが分かる。
【００９９】
この場合、偶数番目の導体パターン１５１における受容端子１５３とテール部１５８とを結ぶ部分は、隣接する奇数番目の導体パターン１５１の受容端子１５３同士の間を通過するために、幅狭に形成されている。また、奇数番目の導体パターン１５１の前後方向の寸法は、偶数番目の導体パターン１５１の前後方向の寸法よりも短く設定されている。
【０１００】
なお、前端寄りの部分に配列された受容端子１５３、該受容端子１５３を備える導体パターン１５１及び該導体パターン１５１のテール部１５８についても、同様である。
【０１０１】
さらに、受容端子１５３の配列の態様、導体パターン１５１の本数等は、必要に応じて適宜変更することができる。
【０１０２】
また、本実施の形態においては、雄コネクタ１の説明を省略したが、雄コネクタ１の突出端子５３の数及び配列も、受容端子１５３の数及び配列に合せて変更される。
【０１０３】
なお、本実施の形態におけるモジュール用ソケットのその他の点の構成及び動作については、前記第１及び第２の実施の形態と同様であるので、その説明を省略する。
【０１０４】
このように、本実施の形態においては、より多くの受容端子１５３及び突出端子５３が配設される。そのため、モジュール９１の極数が多い場合にも適用することができる。
【０１０５】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【０１０６】
図１４は本発明の第４の実施の形態におけるモジュール用ソケットの第２コネクタをモジュールに取付けた状態を示す斜視図、図１５は本発明の第４の実施の形態におけるモジュール用ソケットの第１コネクタを示す図である。なお、図１４において、（ａ）はモジュール側から観た図、（ｂ）は第１コネクタ側から観た図であり、図１５において、（ａ）は斜視図、（ｂ）は上面図、（ｃ）は側面図である。
【０１０７】
本実施の形態においては、第１コネクタとしての雄コネクタ１が基板等の実装部材に取付けられ、第２コネクタとしての雌コネクタ１０１がモジュール９１に取付けられる場合について説明する。
【０１０８】
図１４に示されるように、雌コネクタ１０１は、枠体１１１を有していない。そして、接続シート部１５０は、略矩形の平面形状を備え、モジュール９１の下面に取付けられる。なお、前記接続シート部１５０の実装側面（モジュール９１側の面）には、各導体パターン１５１の一部が露出し、接続パッドとして機能する。そして、各導体パターン１５１の接続パッドとして機能する部分が、前記モジュール９１の下面に形成された図示されない対応する接続パッドと、はんだ付、導電性接着剤等の接続手段によって、機械的かつ電気的に接続されている。これにより、雌コネクタ１０１はモジュール９１に取付けられ、かつ、受容端子１５３は、モジュール９１の接続パッドと電気的に接続された状態となる。なお、本実施の形態における導体パターン１５１は、テール部１５８を備えていない。
【０１０９】
また、図１５に示されるように、雄コネクタ１は、樹脂等の絶縁性の材料から成り、略矩形の平面形状を備える平板状のハウジング１１と、該ハウジング１１の嵌合側面（図１５（ｃ）における上側の面）に配設された第１導体パターンとしての導体パッド５１と、該導体パッド５１の表面から突出する雄端子としての突出端子５３と、雄嵌合ロック部２２とを有する。
【０１１０】
そして、前記ハウジング１１の実装側面（実装部材側の面）には複数の接続パッド５８が配設されている。そして、各接続パッド５８は、ハウジング１１の内部を通過するように形成された図示されない導電トレースを介して、対応する導体パッド５１と電気的に接続されている。また、各接続パッド５８は、図示されない実装部材の表面に形成された接続パッドにはんだ付等によって接続される。前記接続パッド５８が実装部材の接続パッドに接続されることによって、雄コネクタ１が実装部材に固定されるとともに、導体パッド５１及び突出端子５３が実装部材の対応する導電トレースと導通する。
【０１１１】
なお、前記突出端子５３及び受容端子１５３の数、配列の態様等は、必要に応じて適宜変更することができる。
【０１１２】
また、本実施の形態におけるモジュール用ソケットのその他の点の構成及び動作については、前記第１〜第３の実施の形態と同様であるので、その説明を省略する。
【０１１３】
このように、本実施の形態においては、雄コネクタ１が実装部材に取付けられ、雌コネクタ１０１がモジュール９１に取付けられる。したがって、モジュール用ソケットをより多くの種類のモジュール９１の実装に使用することができる。
【０１１４】
なお、本発明は前記実施の形態に限定されるものではなく、本発明の趣旨に基づいて種々変形させることが可能であり、それらを本発明の範囲から排除するものではない。
【産業上の利用可能性】
【０１１５】
本発明は、モジュール用ソケットに適用することができる。
【符号の説明】
【０１１６】
１    雄コネクタ
１１    ハウジング
１３    切欠部
１５    ストッパ凸部
１５ａ、１１５ａ    当接端部
２１    耳部
２２    雄嵌合ロック部
２３    雄側段部
２３ａ    段部端面
５１    導体パッド
５３    突出端子
５８    接続パッド
９１    モジュール
９３    突出脚部
９５    突出部
１０１    雌コネクタ
１１１    枠体
１１２    縦枠部
１１３    突出脚部対応開口
１１４    接続凹部
１１５    前枠部
１１６    後枠部
１１７    カバーフィルム
１１７ａ、１１８ａ    端子対応開口
１１８    ベースフィルム
１２１    受入凹部
１２２    雌嵌合ロック部
１２２ａ    端部端面
１５０    接続シート部
１５１、１５１−１、１５１−２、１５１−３、１５１−４、１５１−５、１５１−６、１５１−７、１５１−８、１５１−９    導体パターン
１５２    パターン分離空間
１５３、１５３−１、１５３−２、１５３−３、１５３−４、１５３−５、１５３−６、１５３−７、１５３−８、１５３−９    受容端子
１５３ａ    基部
１５３ａ１    上側基部
１５３ａ２    下側基部
１５３ｃ、９６４    接触部
１５３ｄ、９６８    腕部
１５３ｄ１    上側腕部
１５３ｄ２    下側腕部
１５４    端子収容開口
１５４ａ    内側開口
１５４ｂ    外側開口
１５８、１５８−１、１５８−２、１５８−３、１５８−４、１５８−５、１５８−６、１５８−７、１５８−８、１５８−９、９６２    テール部
１５９    固定用補助金具
８０１    カメラモジュール
８１１    本体部
８１２    レンズ筒
８１７    係止突起
９１１    ソケットハウジング
９１６    周壁部
９１７    底板部
９１８    コンタクト挿入溝
９６１    コンタクト
９７１    シールド部材
９７７    弾性係止片
９９１    基板
【図１】
0005653281.tif 000002
【図２】
0005653281.tif 000003
【図３】
0005653281.tif 000004
【図４】
0005653281.tif 000005
【図５】
0005653281.tif 000006
【図６】
0005653281.tif 000007
【図７】
0005653281.tif 000008
【図８】
0005653281.tif 000009
【図９】
0005653281.tif 000010
【図１０】
0005653281.tif 000011
【図１１】
0005653281.tif 000012
【図１２】
0005653281.tif 000013
【図１３】
0005653281.tif 000014
【図１４】
0005653281.tif 000015
【図１５】
0005653281.tif 000016
【図１６】
0005653281.tif 000017